(57)【要約】【課題】寸法にばらつきがある軒樋を固定しやすい軒樋切断治具を提供する。【解決手段】底片４１および底片４１の短手方向の両端部からそれぞれ起立する両側の側片４２を有する軒樋４をその長手方向に分断するように切断するための軒樋切断治具１である。軒樋切断治具１は、治具本体２と、挿入部材３と、を備える。治具本体２は、側片４２をそれぞれ保持する側片保持部２１と、両側の側片保持部２１の底片４１に対応する側の端部である基端部の間に連設されて底片４１に対向する底片対向部２２と、を有する。挿入部材３は、底片４１と底片対向部２２との間に挿入されて底片４１と底片対向部２２との間を広げる方向に押す。治具本体２は、挿入部材３が挿入される挿入口２５と、軒樋４を切断する切断刃の移動をガイドするガイド部と、を有する。側片保持部２１は、その先端部に側片４２の先端部を底片４１側に押す先端押し部（内突出片２３１）を有する。【選択図】図３
2018108618.tif 000002
【特許請求の範囲】
【請求項１】
底片および前記底片の短手方向の両端部からそれぞれ起立する両側の側片を有する軒樋をその長手方向に対して分断するように切断するための軒樋切断治具であって、
両側の前記側片の外面をそれぞれ保持する両側の側片保持部と、両側の前記側片保持部の前記底片に対応する側の端部である基端部の間に連設されて前記底片の外面に対向する底片対向部と、を有する治具本体と、
前記底片と前記底片対向部との間に挿入されて前記底片と前記底片対向部との間を広げる方向に押す挿入部材と、を備え、
前記治具本体は、前記挿入部材が挿入される挿入口と、前記軒樋を切断する切断刃の移動をガイドするガイド部と、を有し、
前記側片保持部は、その先端部に前記側片の先端部を前記底片側に押す先端押し部を有することを特徴とする軒樋切断治具。
【請求項２】
前記挿入口から挿入されている前記挿入部材が前記挿入口から抜けるのを規制するストッパーを備えることを特徴とする請求項１記載の軒樋切断治具。
【請求項３】
前記ストッパーによる前記規制を解除する解除部を備えることを特徴とする請求項２記載の軒樋切断治具。
【請求項４】
前記挿入部材がばねを有することを特徴とする請求項１〜３のいずれか一項に記載の軒樋切断治具。
【請求項５】
前記挿入部材がくさび部を有することを特徴とする請求項１〜３のいずれか一項に記載の軒樋切断治具。
【発明の詳細な説明】
【技術分野】
【０００１】
本発明は、軒樋切断治具に関する。
【背景技術】
【０００２】
従来、軒樋をその長手方向に分断するように切断するための軒樋切断治具が用いられている（例えば特許文献１参照）。
【０００３】
軒樋切断治具は、軒樋の外面に沿う形状をしている。軒樋切断治具は、軒樋に被せるように取り付けられて、軒樋を固定する。作業者は、軒樋に取り付けられた軒樋切断治具の端縁に沿って切断刃を移動させることにより、軒樋を切断する。
【先行技術文献】
【特許文献】
【０００４】
【特許文献１】特開２００２−３０７３８１号公報
【発明の概要】
【発明が解決しようとする課題】
【０００５】
ところで、軒樋には、製造誤差による寸法のばらつきがある。
【０００６】
このため、特許文献１に示される従来の軒樋切断治具にあっては、軒樋に被せるように軒樋切断治具を取り付けても、軒樋切断治具が軒樋を固定することが困難な場合があった。
【０００７】
本発明は上記従来の問題点に鑑みて発明したものであって、その目的とするところは、寸法にばらつきがある軒樋を固定しやすい軒樋切断治具を提供することにある。
【課題を解決するための手段】
【０００８】
上記課題を解決するために、本発明に係る一形態の軒樋切断治具は、以下の通りである。
【０００９】
底片および前記底片の短手方向の両端部からそれぞれ起立する両側の側片を有する軒樋をその長手方向に対して分断するように切断するための軒樋切断治具である。
【００１０】
前記軒樋切断治具は、治具本体と、挿入部材と、を備える。
【００１１】
前記治具本体は、両側の前記側片の外面をそれぞれ保持する両側の側片保持部と、両側の前記側片保持部の前記底片に対応する側の端部である基端部の間に連設されて前記底片の外面に対向する底片対向部と、を有する。
【００１２】
前記挿入部材は、前記底片と前記底片対向部との間に挿入されて前記底片と前記底片対向部との間を広げる方向に押す。
【００１３】
前記治具本体は、前記挿入部材が挿入される挿入口と、前記軒樋を切断する切断刃の移動をガイドするガイド部と、を有する。
【００１４】
前記側片保持部は、その先端部に前記側片の先端部を前記底片側に押す先端押し部を有する。
【発明の効果】
【００１５】
本発明に係る一形態の軒樋切断治具にあっては、挿入部材により底片と底片対向部との間を広げる方向に押すため、軒樋の寸法の製造誤差にかかわらず、軒樋を固定しやすい。
【図面の簡単な説明】
【００１６】
【図１】図１は、本発明の第一実施形態に係る軒樋切断治具の取り付け対象となる軒樋の斜視図である。
【図２】図２は、同上の軒樋切断治具の斜視図である。
【図３】図３は、同上の軒樋切断治具を軒樋に固定した状態の断面図である。
【図４】図４は、本発明の第二実施形態に係る軒樋切断治具の斜視図である。
【図５】図５は、同上の軒樋切断治具を軒樋に固定した状態の断面図である。
【図６】図６は、同上の軒樋切断治具における挿入部材の抜け止めを解除した状態の断面図である。
【発明を実施するための形態】
【００１７】
本発明は、軒樋切断治具に関し、さらに詳しくは、軒樋をその長手方向に分断するように切断するための軒樋切断治具に関する。
【００１８】
以下、本発明に係る軒樋切断治具の第一実施形態について、図１〜図３に基づいて説明する。
【００１９】
まず、軒樋切断治具１に取り付ける対象となる軒樋４について説明する。図１に示すように、軒樋４は、合成樹脂により形成される長尺状をしたもので、長手方向と直交する断面において、底片４１と側片４２とを有する形状をしている。
【００２０】
底片４１は、長尺の平板状をしたもので、その上面を雨水が流れる。底片４１の短手方向の両端部にそれぞれ、側片４２が起立するように設けられる。
【００２１】
第一実施形態では、設計上、軒樋４の短手方向となる軒棟方向の一方の側が棟側（建物に面する側）となり、他方の側が軒側となる。底片４１の棟側の端部から棟側の側片４２１が起立し、底片４１の軒側の端部から軒側の側片４２２が起立する。
【００２２】
棟側の側片４２１は、ほぼ上方に向けて起立している。
【００２３】
軒側の側片４２２は、上斜め外方（軒の方）に向けて起立している。また、第一実施形態では、軒側の側片４２２は、途中に内側に向けてＬ字状に屈曲する屈曲部４２３を有しているが、屈曲部４２３を有しなくてもよい。
【００２４】
側片４２の先端部には、軒樋吊具（不図示）に引掛けられる耳部４３が内側に突出するように設けられている。なお、このような耳部４３は必ずしも設けられなくてもよい。
【００２５】
次に、軒樋切断治具１について説明する。図２、図３に示すように、軒樋切断治具１は、治具本体２と、挿入部材３と、を備える。
【００２６】
治具本体２は、側片保持部２１と、底片対向部２２と、を有する。第一実施形態では、治具本体２は、金属や樹脂等で形成される。
【００２７】
側片保持部２１は、側片４２の外面をそれぞれ保持するもので、棟側の側片４２１を保持する棟側の側片保持部２１１と、軒側の側片４２２を保持する軒側の側片保持部２１２と、を備える。側片保持部２１は、側片４２の外面全体に接触して側片４２全体を保持するのが好ましいが、特に側片４２の外面全体に接触しなくてもよい。
【００２８】
側片保持部２１の幅（図３参照。短手方向の長さで、図３中の上下の長さ）は、軒樋４の側片４２の幅よりも長く形成される。
【００２９】
側片保持部２１の耳部４３に対応する側の端部（これを先端部とする）には、側片４２の先端部を掴む掴み部２３が設けられる。掴み部２３は、側片保持部２１の先端部から内側に突出する内突出片２３１と、内突出片２３１の内端部から奥側（すなわち底片４１側）に突出する奥突出片２３２と、を有する。
【００３０】
内突出片２３１は、側片４２の先端面（耳部４３の底片４１と反対側の面）に接触して、これを押す。すなわち、内突出片２３１が、側片４２の先端部を底片４１側に押す先端押し部となる。
【００３１】
奥突出片２３２は、内突出片２３１が外側に移動するのを規制する。すなわち、奥突出片２３２が、内突出片２３１が外側に移動して側片４２の先端部から脱落するのを抑制する。
【００３２】
底片対向部２２は、棟側の側片保持部２１１と軒側の側片保持部２１２の底片４１に対応する側の端部（これを基端部とする）の間に設けられる。底片対向部２２は、底片４１の外面に対向するものである。
【００３３】
第一実施形態では、軒樋４の長手方向における、側片保持部２１と底片対向部２２の両端縁に、フランジ２４が形成されている。
【００３４】
治具本体２は、軒樋４を切断する切断刃の移動をガイドするガイド部１１を有する。切断刃を有する切断具としては、のこぎりが好適に挙げられるが、特にのこぎりに限定されない。第一実施形態では、フランジ２４がガイド部１１を構成する。
【００３５】
また、治具本体２は、挿入部材３が挿入される挿入口２５を有する。第一実施形態では、棟側の側片保持部２１１の底片対向部２２側の端部に、棟側に開口する、横方向に長い矩形状をした挿入口２５が形成されている。
【００３６】
図３に示すように、挿入部材３は、治具本体２が軒樋４に被せられて取り付けられた状態で、挿入口２５より底片４１と底片対向部２２との間に挿入される。これにより、挿入部材３が底片４１と底片対向部２２との間に割り込んで、底片４１と底片対向部２２とを広げる方向に押す。第一実施形態では、挿入部材３は、板ばねにより構成される。
【００３７】
さらに詳しくは、挿入部材３は、平面視において、挿入方向に長い概ね矩形状をしたものである。挿入部材３は、第一実施形態では、合成樹脂で形成される。
【００３８】
挿入部材３は、挿入方向と直交する側面視において、挿入方向の中間部が凸となる滑らかな湾曲形状をしている。挿入部材３の中間部に形成される凸部３１が、軒樋４の底片４１を押す軒樋押し部となる。挿入部材３の挿入方向の先端部３０１は、治具本体２の底片対向部２２を押す先端側の治具本体押し部となる。また、挿入部材３の挿入方向の後端側の部分３０２は、挿入口２５の底片対向部２２側の端縁２５１を底片対向部２２側に押す後端側の治具本体押し部となる。
【００３９】
また、第一実施形態では、軒樋切断治具１は、挿入口２５から挿入されている挿入部材３が挿入口２５から抜けるのを規制するストッパー１２を備える。挿入部材３の後端側の部分３０２の底片対向部２２を向く面に、挿入方向に複数設けられる緩斜面３２１と、傾斜面間に設けられる急斜面３２２とを有する抜け止め凸部３２が形成される。
【００４０】
緩斜面３２１は、挿入方向の先端側から後端側にいくに従って底片対向部２２に近接するように傾斜する。急斜面３２２は、挿入方向の先端側から後端側にいくに従って底片対向部２２から急激に離間するように、挿入方向に対してなす角度が緩斜面３２１が挿入方向に対してなす角度よりも大きく傾斜する。このような抜け止め凸部３２および挿入口２５の底片対向部２２側の端縁２５１が、ストッパー１２を構成する。
【００４１】
また、第一実施形態では、軒樋切断治具１は、ストッパー１２による規制を解除する解除部１３を備える。挿入部材３の後端部３０３が、解除部１３を構成する。挿入部材３の後端部３０３の底片対向部２２を向く面に、凹凸からなる滑り止め部３３が設けられる。
【００４２】
軒樋切断治具１の使用方法について説明する。
【００４３】
まず、軒樋４の切断しようとする箇所に治具本体２を装着する。治具本体２を変形させて、治具本体２内に挿入していき、棟側の側片４２１を棟側の側片保持部２１１に沿わせ、軒側の側片４２２を軒側の側片保持部２１２に沿わせる。そして、側片保持部２１の先端部の奥突出片２３２を乗り越えて、耳部４３を掴み部２３に保持させる。これにより、治具本体２が軒樋４に被せられて取り付けられる。
【００４４】
軒樋４には製造誤差による寸法のばらつきがある。このため、治具本体２を軒樋４の外面全面に沿うように設計していると、治具本体２を軒樋４に被せられずに装着できない場合、治具本体２を軒樋４に被せると隙間が大きくてがたつきが生じる場合等が生じる。
【００４５】
第一実施形態では、側片保持部２１の幅が側片４２の幅よりも長く、治具本体２の方が軒樋４よりも大きく形成されている。このため、軒樋４に製造誤差による寸法のばらつきがあっても、治具本体２を軒樋４に被せられないといったことが生じにくくなる。
【００４６】
また、軒樋４が治具本体２に被せられただけの状態では、治具本体２ががたつきなく軒樋４を保持することができない。このため、挿入部材３を底片４１と底片対向部２２との間に挿入して、軒樋４の治具本体２内におけるがたつきをなくす。
【００４７】
具体的には、挿入部材３の凸部３１が軒樋４の底片４１側を向くように、挿入部材３の先端部３０１を挿入口２５より挿入していく。挿入部材３は、軒樋押し部（凸部３１）が軒樋４の底片４１を押し、先端側の治具本体押し部（先端部３０１）と後端側の治具本体押し部（後端側の部分３０２）とが底片対向部２２を押す。これにより、底片４１と底片対向部２２とは、挿入部材３により間隔が広がる方向に押され、軒樋４の治具本体２内での動き代がなくなり、軒樋４のがたつきがなくなる。
【００４８】
また、挿入部材３の後端側の部分３０２に抜け止め凸部３２が形成されているため、挿入部材３に挿入方向と反対方向の力が加わっても、挿入口２５の周縁部に急斜面３２２が引っ掛かり、挿入部材３は抜けない。
【００４９】
挿入部材３を抜き出すには、解除部１３を軒樋４側に向けて押すことにより、挿入口２５の周縁部への急斜面３２２の引っ掛かりを解除する。これにより、挿入部材３を治具本体２から抜き出すことができる。
【００５０】
第一実施形態の軒樋切断治具１においては、軒樋４に製造誤差による寸法のばらつきがあっても、軒樋４を固定しやすい。
【００５１】
また、板ばねにより挿入部材３を構成することができる。なお、挿入部材３は、板ばねではない例えばコイルばねをはじめとする一般のばねを有するものでもよい。
【００５２】
次に、第二実施形態の軒樋切断治具１について、図４〜図６に基づいて説明する。なお、第二実施形態の軒樋切断治具１は、第一実施形態の軒樋切断治具１と大部分において同じである。このため、第一実施形態と重複する説明については、同符号を付して説明を省略する。
【００５３】
軒樋切断治具１に取り付ける対象となる軒樋４は、図１に示される第一実施形態の軒樋４と同じである。
【００５４】
第二実施形態の治具本体２は、挿入口２５と繋がる連結片挿通溝２７を有する点で、このような連結片挿通溝２７を有しない第一実施形態の治具本体２と異なる。
【００５５】
図４に示すように、挿入部材３は、くさび部３４を有する。くさび部３４は、挿入方向の先端部３０１側の厚みが薄く、後端側へいくに従って、厚みが厚くなる。治具本体２の挿入口２５は、くさび部３４の後端側の部分３０２の厚みが厚くなっている部分が挿入可能な大きさに形成されている。くさび部３４は、特に弾性を有しなくてもよい。
【００５６】
くさび部３４の底片対向部２２を向く面に、挿入方向に設けられる緩斜面３７１と、傾斜面の挿入方向の後端側に連続する急斜面３７２とを有する抜け止め凸部３７が形成される。
【００５７】
また、底片対向部２２の内面に、挿入方向に複数設けられる緩斜面２６１と、傾斜面間に設けられる急斜面２６２とを有する抜け止め凸部２６が形成される。
【００５８】
くさび部３４に設けられる抜け止め凸部３７および底片対向部２２に設けられる抜け止め凸部２６が、ストッパー１２を構成する。
【００５９】
くさび部３４の底片対向部２２を向く面には、連結片３５および解除片３６が設けられる。連結片３５は、挿入方向を長手方向とし、くさび部３４の底片対向部２２を向く面の幅方向の中央部に設けられる。連結片３５の先端に、解除片３６が設けられる。解除片３６は、正面視形状およびその大きさがくさび部３４とほぼ同じである。
【００６０】
治具本体２の連結片挿通溝２７の幅は、連結片３５の幅よりも長く、解除片３６およびくさび部３４の幅より短い。挿入部材３は、第一実施形態では、合成樹脂で形成される。
【００６１】
軒樋切断治具１の使用方法について説明するが、おもに第一実施形態と異なる点について説明する。
【００６２】
挿入部材３の先端部３０１を挿入口２５より挿入していく。くさび部３４は、底片４１と底片対向部２２の間隔と同じ厚みの部分が挿入されると、底片４１と底片対向部２２とを間隔が広がる方向に押す。これにより、軒樋４の治具本体２内での動き代がなくなり、軒樋４のがたつきがなくなる。
【００６３】
また、くさび部３４に設けられた抜け止め凸部３７の急斜面３７２が底片対向部２２に設けられた抜け止め凸部２６の急斜面２６２に引っ掛かり、挿入部材３が抜けない。
【００６４】
挿入部材３を抜き出すには、解除片３６からなる解除部１３を軒樋４側に向けて押すことにより、抜け止め凸部３７、２６の急斜面３７２、２６２の引っ掛かりを解除する。これにより、挿入部材３を治具本体２から抜き出すことができる。
【００６５】
第二実施形態の軒樋切断治具１においても、軒樋４に製造誤差による寸法のばらつきがあっても、軒樋４を固定しやすい。
【００６６】
また、くさび部３４を用いて挿入部材３を構成することができる。
【００６７】
次に、第一実施形態および第二実施形態の変形例について説明する。
【００６８】
第一実施形態および第二実施形態では、棟側の側片４２１はほぼ上方に向けて起立し、軒側の側片４２２は上斜め外方に向けて起立しているが、起立する向きは特に限定されない。
【００６９】
第一実施形態および第二実施形態では、棟側の側片４２１と軒側の側片４２２の形状が異なるが、棟側の側片４２１と軒側の側片４２２の形状が同じであってもよい。すなわち、長手方向と直交する断面における形状が左右対称であってもよい。棟側と軒側の区別は便宜上のものであって、特にこのような区別をしなくてもよい。
【００７０】
軒樋４の長手方向と直交する断面における形状および大きさは限定されない。また、軒樋４の長手方向の長さは限定されない。
【００７１】
また、軒樋４は、合成樹脂により形成されなくてもよい。すなわち、軒樋４は、のこぎり等の金属製の切断刃により人力で切断できる材質で形成されていればよい。
【００７２】
治具本体２は、第一実施形態および第二実施形態では金属で形成されているが、金属により形成されなくてもよい。すなわち、治具本体２は、のこぎり等の金属製の切断刃により容易に切断できる材質でなければよい。
【００７３】
第一実施形態および第二実施形態では、先端押し部としての内突出片２３１は必要であるが、奥突出片２３２は設けられなくてもよい。
【００７４】
第一実施形態および第二実施形態では、フランジ２４がガイド部１１を構成しているが、ガイド部１１はフランジ２４により構成されなくてもよい。すなわち、フランジ２４ではなく側片保持部２１および底片対向部２２の単なる端縁によりガイド部１１が構成されてもよく、フランジ２４が治具本体２に設けられる必要はない。
【００７５】
挿入部材３は、第一実施形態および第二実施形態では合成樹脂で形成されているが、材質は特に限定されない。第一実施形態では、挿入部材３は、薄い金属板等、人力で容易に変形可能な部材であればよい。第二実施形態では、挿入部材３は、人力で変形困難な部材であってもよいし、人力で容易に変形可能な部材であってもよい。
【００７６】
ストッパー１２の形態は、第一実施形態および第二実施形態のようなものに限定されない。またストッパー１２は、軒樋切断治具１に必ずしも設けられなくてもよい。
【００７７】
解除部１３の形態は、第一実施形態および第二実施形態のようなものに限定されない。また解除部１３は、軒樋切断治具１に必ずしも設けられなくてもよい。
【００７８】
以上、述べた第一実施形態、第二実施形態およびその変形例から明らかなように、第１の態様は、底片４１および底片４１の短手方向の両端部からそれぞれ起立する両側の側片４２を有する軒樋４をその長手方向に分断するように切断するための軒樋切断治具１である。
【００７９】
軒樋切断治具１は、治具本体２と、挿入部材３と、を備える。
【００８０】
治具本体２は、両側の側片４２の外面をそれぞれ保持する両側の側片保持部２１と、両側の側片保持部２１の底片４１に対応する側の端部である基端部の間に連設されて底片４１の外面に対向する底片対向部２２と、を有する。
【００８１】
挿入部材３は、底片４１と底片対向部２２との間に挿入されて底片４１と底片対向部２２との間を広げる方向に押す。
【００８２】
治具本体２は、挿入部材３が挿入される挿入口２５と、軒樋４を切断する切断刃の移動をガイドするガイド部１１と、を有する。
【００８３】
側片保持部２１は、その先端部に側片４２の先端部を底片４１側に押す先端押し部を有する。
【００８４】
第１の態様によれば、軒樋４に製造誤差による寸法のばらつきがあっても、軒樋切断治具１により軒樋４を固定しやすい。
【００８５】
第２の態様では、第１の態様との組み合わせにより実現される。第２の態様では、挿入口２５から挿入されている挿入部材３が挿入口２５から抜けるのを規制するストッパー１２を備える。
【００８６】
第２の態様によれば、挿入部材３が挿入口２５から抜けにくい。
【００８７】
第３の態様では、第２の態様との組み合わせにより実現される。第３の態様では、ストッパー１２による規制を解除する解除部１３を備える。
【００８８】
第３の態様によれば、ストッパー１２による前記規制を解除しやすい。
【００８９】
第４の態様では、第１〜第３のいずれかの態様との組み合わせにより実現される。第４の態様では、挿入部材３がばねを有する。
【００９０】
第４の態様によれば、ばねを用いて挿入部材３を構成することができる。
【００９１】
第５の態様では、第１〜第３のいずれかの態様との組み合わせにより実現される。第５の態様では、挿入部材３がくさび部３４を有する。
【００９２】
第５の態様によれば、くさび部３４を用いて挿入部材３を構成することができる。
【符号の説明】
【００９３】
１    軒樋切断治具
１１  ガイド部
１２  ストッパー
１３  解除部
２    治具本体
２１  側片保持部
２２  底片対向部
２５  挿入口
３    挿入部材
３４  くさび部
４    軒樋
４１  底片
４２  側片
【図１】
2018108618.tif 000003
【図２】
2018108618.tif 000004
【図３】
2018108618.tif 000005
【図４】
2018108618.tif 000006
【図５】
2018108618.tif 000007
【図６】
2018108618.tif 000008